(57)【要約】  本発明は、装置間通信方法及び装置を提供する。該方法は、第一の端末装置が装置間通信サービスに属する第一のサービスのデータを伝送するための第一の時間周波数リソースを取得することと、該第一の端末装置が該第一の時間周波数リソースに基づき、装置間通信サービスに属する第二のサービスのデータを送信することとを含む。本発明は装置間通信の柔軟性と信頼性を向上させることができる。
2019521534.tif 000002
【特許請求の範囲】
【請求項１】
装置間通信方法であって、前記方法は、
第一の端末装置が装置間通信サービスに属する第一のサービスのデータを伝送するための第一の時間周波数リソースを取得することと、
前記第一の端末装置が前記第一の時間周波数リソースに基づき、装置間通信サービスに属する第二のサービスのデータを送信することとを含む、装置間通信方法。
【請求項２】
前記第一の端末装置が前記第一の時間周波数リソースに基づき、第二のサービスのデータを送信する前に、前記方法はさらに、
前記第一の端末装置が前記第二のサービスの優先度が前記第一のサービスの優先度より高いことを確定すること、又は
前記第一の端末装置が前記第二のサービスの緊急度が前記第二のサービスの緊急度より高いことを確定すること、又は
前記第一の端末装置が前記第二のサービスのサービスタイプが予め設定された、少なくとも一つのサービスタイプを含む第一のサービスタイプセットに属することを確定することを含むことを特徴とする
請求項１に記載の方法。
【請求項３】
前記第一の端末装置が前記第一の時間周波数リソースに基づき、第二のサービスのデータを送信する前に、前記方法はさらに、
前記第一の端末装置が前記第二のサービスのデータを伝送するために必要な最小の時間周波数リソースである第二の時間周波数リソースのサイズを確定することと、
前記第一の端末装置が前記第一の時間周波数リソースのサイズが前記第二の時間周波数リソースのサイズ以上であることを確定することとを含むことを特徴とする
請求項１又は２に記載の方法。
【請求項４】
前記第一の端末装置が前記第一の時間周波数リソースに基づき、第二のサービスのデータを送信する前に、前記方法はさらに、
前記第一の端末装置が前記第一のサービスの伝送モードが半静的伝送であることを確定することを含み、前記第一の時間周波数リソースが具体的に前記第一のサービスの次の伝送周期に対応する時間周波数リソースであることを特徴とする
請求項１乃至３のいずれか一項に記載の方法。
【請求項５】
前記第一の端末装置が前記第一の時間周波数リソースに基づき、第二のサービスのデータを送信する前に、前記方法はさらに、
前記第一の端末装置が第一の判定処理を開始し、第一の判定処理を開始する時点から時間領域における前記第一の時間周波数リソースの開始時点までの時間長である第一の時間長が予め設定された第一の閾値以下であることを確定することを含むことを特徴とする
請求項４に記載の方法。
【請求項６】
前記第一の端末装置が前記第一の時間周波数リソースに基づき、第二のサービスのデータを送信する前に、前記方法はさらに、
前記第一の端末装置が第一の判定処理を開始し、第一の判定処理を開始する時点から前記第一の時間周波数リソースの開始時点までの時間長である第一の時間長が予め設置された第二の閾値以上であることを確定することと、
前記第一の端末装置が第三の時間周波数リソースを取得するための処理を開始することと、
前記第一の端末装置が第二の判定処理を開始し、前記第一の端末装置が前記第二のサービスのデータを伝送するための第三の時間周波数リソースを取得するための処理を開始する時点から第二の判定処理を開始する時点までの時間長である第二の時間長が予め設定された第三の閾値以上であることを確定することとを含むことを特徴とする
請求項４に記載の方法。
【請求項７】
前記第二のサービスの伝送モードが半静的伝送である場合、前記第一の端末装置が前記第一の時間周波数リソースに基づき、第二のサービスのデータを送信する前に、前記方法はさらに、
前記第一の端末装置が前記第二のサービスの伝送周期が前記第一のサービスの伝送周期の整数倍であることを確定することを含むことを特徴とする
請求項５又は６に記載の方法。
【請求項８】
前記第一のサービスが少なくとも２つであり、前記第一の時間周波数リソースが少なくとも２つであり、少なくとも２つの第一のサービスが少なくとも２つの第一の時間周波数リソースと一対一で対応し、各第一の時間周波数リソースが対応する第一のサービスのデータを伝送することに用いられ、且つ、前記第一の時間長が少なくとも２つであり、少なくとも２つの第一の時間周波数リソースが少なくとも２つの第一の時間長と一対一で対応し、各第一の時間長が現在の時点から時間領域における対応する第一の時間周波数リソースの開始時点までの時間長であり、及び
前記第一の端末装置が前記第一の時間周波数リソースに基づき、装置間通信サービスに属する第二のサービスのデータを送信することは、
前記第一の端末装置が前記少なくとも２つの第一のサービスから、対応する第一時間長が前記少なくとも２つの第一の時間長のうちの最小の時間長であるターゲット第一のサービスを確定することと、
前記第一の端末装置が前記ターゲット第一のサービスに対応する第一の時間周波数リソースにより、第二のサービスのデータを送信することとを含むことを特徴とする
請求項５乃至７のいずれか一項に記載の方法。
【請求項９】
前記方法はさらに、
前記第一の端末装置が前記第一の時間周波数リソースで伝送される必要がある前記第一のサービスのデータを放棄することを含むことを特徴とする
請求項１乃至８のいずれか一項に記載の方法。
【請求項１０】
前記方法はさらに、
前記第一の端末装置が第四の時間周波数リソースを取得することと、
前記第一の端末装置が前記第四の時間周波数リソースにより前記第一のサービスのデータを送信することとを含み、
前記第四の時間周波数リソースの対応する時間が第一の半静的伝送時間範囲以外にあり、前記第一の半静的伝送時間範囲が前記第一のサービスのデータを伝送するための時間範囲であり、前記第一の半静的伝送時間範囲が前記第一の時間周波数リソースに対応する時間を含むことを特徴とする
請求項４乃至８のいずれか一項に記載の方法。
【請求項１１】
装置間通信装置であって、前記装置は、
装置間通信サービスに属する第一のサービスのデータを伝送するための第一の時間周波数リソースを取得する取得ユニットと、
前記第一の時間周波数リソースに基づき、装置間通信サービスに属する第二のサービスのデータを送信するように構成される通信ユニットととを備える装置間通信装置。
【請求項１２】
前記装置はさらに、
前記第二のサービスの優先度が前記第一のサービスの優先度より高いことを確定するように構成され、又は
前記第二のサービスの緊急度が前記第二のサービスの緊急度より高いことを確定するように構成され、又は
前記第二のサービスのサービスタイプが予め設定された、少なくとも一つのサービスタイプを含む第一のサービスタイプセットに属することを確定するように構成される確定ユニットを備えることを特徴とする
請求項１１に記載の装置。
【請求項１３】
前記第二のサービスのデータを伝送するために必要な最小の時間周波数リソースである第二の時間周波数リソースのサイズを確定し、
前記第一の端末装置が前記第一の時間周波数リソースのサイズが前記第二の時間周波数リソースのサイズ以上であることを確定するように構成される確定ユニットを備えることを特徴とする
請求項１１又は１２に記載の装置。
【請求項１４】
前記装置はさらに、
前記第一のサービスの伝送モードが半静的伝送であることを確定するように構成され、前記第一の時間周波数リソースが具体的に前記第一のサービスの次の伝送周期に対応する時間周波数リソースである確定ユニットを備えることを特徴とする
請求項１１乃至１３のいずれか一項に記載の装置。
【請求項１５】
前記確定ユニットはさらに、第一の判定処理を開始し、第一の判定処理を開始する時点から時間領域における前記第一の時間周波数リソースの開始時点までの時間長である第一の時間長が予め設定された第一の閾値以下であることを確定するように構成されることを特徴とする
請求項１４に記載の装置。
【請求項１６】
前記確定ユニットはさらに第一の判定処理を開始し、第一の判定処理を開始する時点から前記第一の時間周波数リソースの開始時点までの時間長である第一の時間長が予め設置された第二の閾値以上であることを確定し、
第三の時間周波数リソースを取得するための処理を開始し、
第二の判定処理を開始し、前記第一の端末装置が前記第二のサービスのデータを伝送するための第三の時間周波数リソースを取得するための処理を開始する時点から第二の判定処理を開始する時点までの時間長である第二の時間長が予め設定された第三の閾値以上であることを確定するように構成されることを特徴とする
請求項１４に記載の装置。
【請求項１７】
前記第二のサービスの伝送モードが半静的伝送である場合、前記確定ユニットはさらに前記第二のサービスの伝送周期が前記第一のサービスの伝送周期の整数倍であることを確定するように構成されることを特徴とする
請求項１５又は１６に記載の装置。
【請求項１８】
前記第一のサービスが少なくとも２つであり、前記第一の時間周波数リソースが少なくとも２つであり、少なくとも２つの第一のサービスが少なくとも２つの第一の時間周波数リソースと一対一で対応し、各第一の時間周波数リソースが対応する第一のサービスのデータを伝送することに用いられ、且つ、前記第一の時間長が少なくとも２つであり、少なくとも２つの第一の時間周波数リソースが少なくとも２つの第一の時間長と一対一で対応し、各第一の時間長が現在の時点から時間領域における対応する第一の時間周波数リソースの開始時点までの時間長であり、及び
前記確定ユニットはさらに前記少なくとも２つの第一のサービスから、対応する第一時間長が前記少なくとも２つの第一の時間長のうちの最小の時間長であるターゲット第一のサービスを確定するように構成され、
前記通信ユニットは具体的に前記ターゲット第一のサービスに対応する第一の時間周波数リソースにより、第二のサービスのデータを送信するように構成されることを特徴とする
請求項１５乃至１７のいずれか一項に記載の装置。
【請求項１９】
前記通信ユニットはさらに前記第一の時間周波数リソースで伝送される必要がある前記第一のサービスのデータを放棄するように構成されることを特徴とする
請求項１１乃至１８のいずれか一項に記載の装置。
【請求項２０】
前記取得ユニットは、第四の時間周波数リソースを取得するようにさらに構成され、前記第四の時間周波数リソースの対応する時間が第一の半静的伝送時間範囲以外にあり、前記第一の半静的伝送時間範囲が前記第一のサービスのデータを伝送するための時間範囲であり、前記第一の半静的伝送時間範囲が前記第一の時間周波数リソースに対応する時間を含み、
前記通信ユニットはさらに前記第四の時間周波数リソースにより前記第一のサービスのデータを送信するように構成されることを特徴とする
請求項１４乃至１８のいずれか一項に記載の装置。
【発明の詳細な説明】
【技術分野】
【０００１】
本発明は、通信分野に関し、且つより具体的には、装置間通信方法及び装置に関する。
【背景技術】
【０００２】
通信技術の発展に伴い、装置間通信技術、例えばデバイスツーデバイス（Ｄ２Ｄ：Ｄｅｖｉｃｅ−ｔｏ−Ｄｅｖｉｃｅ）通信技術又は車両間（Ｖ２Ｖ：ｖｅｈｉｃｌｅ  ｔｏ  ｖｅｈｉｃｌｅ）通信技術などは無線通信技術発展の人気のある分野になっている。
【０００３】
現在、端末装置が装置間通信を行う解決策は、装置間通信サービスが発生する時に、基地局によるスケジューリング又は競争などの方式によって該サービスを伝送するための時間周波数リソースを確定し、且つ確定された時間周波数リソースにより、該サービスを伝送することである。
【０００４】
装置間通信技術によるサービスの多様化に伴い、伝送遅延に対する要求が高く求められるサービスは出現し、即ち、該サービスの発生から伝送までの時間長ができるだけ短縮するように確保する必要があり、しかし、現在の基地局によるスケジューリング又は競争に基づく時間周波数リソース取得方式は、上記の遅延が短いサービスの伝送要求を満たすことができず、装置間通信の柔軟性が酷く制約され、装置間通信の信頼性に影響を与える。
【発明の概要】
【発明が解決しようとする課題】
【０００５】
本発明は、装置間通信の柔軟性と信頼性を向上させることができる装置間通信方法及び装置を提供する。
【課題を解決するための手段】
【０００６】
第一の態様では、装置間通信方法が提供され、該方法は、第一の端末装置が装置間通信サービスに属する第一のサービスのデータを伝送するための第一の時間周波数リソースを取得することと、該第一の端末装置が該第一の時間周波数リソースに基づき、装置間通信サービスに属する第二のサービスのデータを送信することとを含む。
【０００７】
第一の態様と組み合わせ、第一の態様の第一の実現形態では、該第一の端末装置が該第一の時間周波数リソースに基づき、第二のサービスのデータを送信する前に、該方法はさらに、該第一の端末装置が該第二のサービスの優先度が該第一のサービスの優先度より高いことを確定すること、又は該第一の端末装置が該第二のサービスの緊急度が該第一のサービスの緊急度より高いことを確定すること、又は該第一の端末装置が該第二のサービスのサービスタイプが予め設定された、少なくとも一つのサービスタイプを含む第一のサービスタイプセットに属することを確定することを含む。
【０００８】
第一の態様及びその上記実施形態と組み合わせ、第一の態様の第二の実施形態では、該第一の端末装置が該第一の時間周波数リソースに基づき、第二のサービスのデータを送信する前に、該方法はさらに、該第一の端末装置が該第二のサービスのデータを伝送するために必要な最小の時間周波数リソースである第二の時間周波数リソースのサイズを確定することと、該第一の端末装置が該第一の時間周波数リソースのサイズが該第二の時間周波数リソースのサイズ以上であることを確定することとを含む。
【０００９】
第一の態様及びその上記実施形態と組み合わせ、第一の態様の第三の実施形態では、該第一の端末装置が該第一の時間周波数リソースに基づき、第二のサービスのデータを送信する前に、該方法はさらに、該第一の端末装置が該第一のサービスの伝送モードが半静的伝送であることを確定することを含み、該第一の時間周波数リソースが具体的に該第一のサービスの次の伝送周期に対応する時間周波数リソースである。
【００１０】
第一の態様及びその上記実施形態と組み合わせ、第一の態様の第四の実施形態では、該第一の端末装置が該第一の時間周波数リソースに基づき、第二のサービスのデータを送信する前に、該方法はさらに、該第一の端末装置が第一の判定処理を開始し、第一の判定処理を開始する時点から時間領域における該第一の時間周波数リソースの開始時点までの時間長である第一の時間長が予め設定された第一の閾値以下であることを確定することを含む。
【００１１】
第一の態様及びその上記実施形態と組み合わせ、第一の態様の第五の実施形態では、該第一の端末装置が該第一の時間周波数リソースに基づき、第二のサービスのデータを送信する前に、該方法はさらに、該第一の端末装置が第一の判定処理を開始し、第一の判定処理を開始する時点から該第一の時間周波数リソースの開始時点までの時間長である第一の時間長が予め設置された第二の閾値以上であることを確定することと、該第一の端末装置が第三の時間周波数リソースを取得するための処理を開始することと、該第一の端末装置が第二の判定処理を開始し、該第一の端末装置が該第二のサービスのデータを伝送するための第三の時間周波数リソースを取得するための処理を開始する時点から第二の判定処理を開始する時点までの時間長である第二の時間長が予め設定された第三の閾値以上であることを確定することとを含む。
【００１２】
第一の態様及びその上記実施形態と組み合わせ、第一の態様の第六の実施形態では、該第二のサービスの伝送モードが半静的伝送である場合、該第一の端末装置が該第一の時間周波数リソースに基づき、第二のサービスのデータを送信する前に、該方法はさらに、該第一の端末装置が該第二のサービスの伝送周期が該第一のサービスの伝送周期の整数倍であることを確定することを含む。
【００１３】
第一の態様及びその上記実施形態と組み合わせ、第一の態様の第七の実施形態では、該第一のサービスが少なくとも２つであり、該第一の時間周波数リソースが少なくとも２つであり、少なくとも２つの第一のサービスが少なくとも２つの第一の時間周波数リソースと一対一で対応し、各第一の時間周波数リソースが対応する第一のサービスのデータを伝送することに用いられ、且つ、該第一の時間長が少なくとも２つであり、少なくとも２つの第一の時間周波数リソースが少なくとも２つの第一の時間長と一対一で対応し、各第一の時間長が現在の時点から時間領域における対応する第一の時間周波数リソースの開始時点までの時間長であり、及び該第一の端末装置が該第一の時間周波数リソースに基づき、装置間通信サービスに属する第二のサービスのデータを送信することは、該第一の端末装置が該少なくとも２つの第一のサービスから、対応する第一時間長が該少なくとも２つの第一の時間長のうちの最小の時間長であるターゲット第一のサービスを確定することと、該第一の端末装置が該ターゲット第一のサービスに対応する第一の時間周波数リソースにより、第二のサービスのデータを送信することとを含む。
【００１４】
第一の態様及びその上記実施形態と組み合わせ、第一の態様の第八の実施形態では、該方法はさらに該第一の端末装置が該第一の時間周波数リソースで伝送する必要がある該第一のサービスのデータを放棄することを含む。
【００１５】
第一の態様及びその上記実施形態と組み合わせ、第一の態様の第九の実施形態では、該方法はさらに、前記第一の端末装置が第四の時間周波数リソースを取得することと、前記第一の端末装置が前記第四の時間周波数リソースにより前記第一のサービスのデータを送信することとを含み、前記第四の時間周波数リソースの対応する時間が第一の半静的伝送時間範囲以外にあり、前記第一の半静的伝送時間範囲が前記第一のサービスのデータを伝送するための時間範囲であり、前記第一の半静的伝送時間範囲が前記第一の時間周波数リソースに対応する時間を含む。
【００１６】
第二の態様では、装置間通信装置が提供され、上記第一の態様及び第一の態様の各実施形態のいずれかの装置間通信方法の各ステップを実行するためのユニットを備える。
【００１７】
第三の態様では、装置間通信装置が提供され、メモリとプロセッサを備え、該メモリがコンピュータプログラムを記憶することに用いられ、該プロセッサがメモリから該コンピュータプログラムを呼び出して実行し、装置間通信装置が上記第一の態様及び各実施形態のいずれかの装置間通信方法を実行するようにすることに用いられる。
【００１８】
第四の態様では、コンピュータプログラム製品が提供され、前記コンピュータプログラム製品はコンピュータプログラムコードを含み、前記コンピュータプログラムコードが端末装置の受信ユニット、処理ユニット、送信ユニット又は受信機、プロセッサ、送信機に実行される場合、前記端末装置が上記第一の態様及び各実施形態のいずれかの装置間通信方法を実行する。
【００１９】
第五の態様では、コンピュータ可読記憶媒体が提供され、前記コンピュータ可読記憶媒体はプログラムを記憶し、前記プログラムにより端末装置が上記第一の態様及びその各実施形態のいずれかの装置間通信方法を実行する。
【００２０】
本発明の実施例による装置間通信方法及び装置では、第一の端末装置が時間領域で取得した、第一のサービスのデータを伝送するための第一の時間周波数リソースを用い、第二のサービスのデータを送信することにより、例えば、第二のサービスが伝送遅延に対する要求が高い場合、端末装置は、該第二のサービスを伝送するための時間周波数リソースの取得をすることを必要とせず、該第二のサービスの伝送遅延を短縮させ、装置間通信の柔軟性と信頼性をさらに向上させることができる。
【図面の簡単な説明】
【００２１】
【図１】本発明の実施例による装置間通信方法を適用した通信システムの一例の概略図である。
【図２】本発明の実施例による装置間通信方法の一例の概略フローチャートである。
【図３】本発明の実施例による装置間通信装置の一例の概略ブロック図である。
【図４】本発明の実施例による装置間通信装置の一例の概略ブロック図である。
【発明を実施するための形態】
【００２２】
本発明の実施例の技術的解決策をより明確に説明するために、以下に本発明の実施例に必要な図面を簡単に説明し、明らかに、以下に記載される図面が本発明のいくつかの実施例だけであり、当業者であれば、創造的な労力を要することなく、これらの図面に基づいて他の図面を得ることができる。
【００２３】
以下に本発明の実施例の図面を組み合わせながら、本発明の実施例に係る技術的解決策を明確で、全面的に説明し、明らかに、説明した実施例は本発明の一部の実施例だけであり、全ての実施例ではない。本発明の実施例に基づき、当業者が創造的な労力を要せずに得た他の実施例は、全て本発明の保護範囲に属する。
【００２４】
本明細書に用いられた用語「部材」、「モジュール」、「システム」などはコンピュータに関連するエンティティ、ハードウェア、ファームウェア、ハードウェアとソフトウェアの組み合わせ、ソフトウェア、又は実行中のソフトウェアを表すことに用いられる。例えば、部材は、プロセッサで実行されるプロセス、プロセッサ、オブジェクト、実行可能ファイル、実行スレッド、プログラム及び／又はコンピュータであってもよいがこれらに限定されない。図示により、コンピューティングデバイスで実行されるアプリケーション及びコンピューティングデバイスは全て部材であってもよい。一つ又は複数の部材はプロセス及び／又は実行スレッド内に留まることができ、部材は一つのコンピュータに配置されてもよく、及び／又は二つ以上のコンピュータ間に分布されてもよい。また、これらの部材は様々なデータ構造を記憶している様々なコンピュータ可読媒体から実行されてもよい。部材は例えば一つ又は複数のデータパケット（例えばローカルシステム、分散システム及び／又はネットワーク間の別の部材とインタラクションを行う二つの部材からのデータ、例えば信号によって他のシステムとインタラクションを行うインターネット）を有する信号に基づいてローカル及び／又はリモートプロセスにより通信されてもよい。
【００２５】
本発明の各態様又は特徴は方法、装置又は標準プログラミング及び／又はエンジニアリング製品として実現されてもよい。本出願に用いられた用語「製品」はいかなるコンピュータ可読デバイス、キャリア又は媒体からアクセス可能なコンピュータプログラムを含む。例えば、コンピュータ可読媒体は、磁気記憶デバイス（例えばハードディスク、フロッピーディスク又は磁気テープなど）、光ディスク（例えばＣＤ（Ｃｏｍｐａｃｔ  Ｄｉｓｋ：コンパクトディスク）、ＤＶＤ（Ｄｉｇｉｔａｌ  Ｖｅｒｓａｔｉｌｅ  Ｄｉｓｋ：デジタルバーサタイルディスク）など）、スマートカードとフラッシュデバイス（例えばＥＰＲＯＭ（Ｅｒａｓａｂｌｅ  Ｐｒｏｇｒａｍｍａｂｌｅ  Ｒｅａｄ−Ｏｎｌｙ  Ｍｅｍｏｒｙ：消去可能プログラマブル読み取り専用メモリ）、カード、スティック又はキードライブなど）を含むことができるがこれらに限定されない。また、本明細書で説明される様々な記憶媒体は情報を記憶するための一つ又は複数のデバイス及び／又は他の機械可読媒体を表すことができる。用語「機械可読媒体」は、無線チャネルと命令及び／又はデータを記憶、含有及び／又は搬送することができる様々な媒体とを含むことができるがこれらに限定されない。
【００２６】
本発明の実施例の解決策は、従来のセルラー通信システム、例えばグローバルモバイル通信（英語全称：Ｇｌｏｂａｌ  Ｓｙｓｔｅｍ  ｆｏｒ  Ｍｏｂｉｌｅ  Ｃｏｍｍｕｎｉｃａｔｉｏｎ、英語略称：ＧＳＭ）、広帯域符号分割多元接続（英語全称：Ｗｉｄｅｂａｎｄ  Ｃｏｄｅ  Ｄｉｖｉｓｉｏｎ  Ｍｕｌｔｉｐｌｅ  Ａｃｃｅｓｓ、英語略称：ＷＣＤＭＡ）、長期進化型（英語全称：Ｌｏｎｇ  Ｔｅｒｍ  Ｅｖｏｌｕｔｉｏｎ、英語略称：ＬＴＥ）などのシステムに応用されてもよく、サポートしている通信が主に音声及びデータ通信に用いられる。一般的には、一つの従来の基地局にサポートされる接続の数が限られ、また実現しやすい。
【００２７】
次世代移動通信システムは、従来の通信だけでなく、Ｍ２Ｍ（英語全称：Ｍａｃｈｉｎｅ  ｔｏ  Ｍａｃｈｉｎｅ）通信、又はＭＴＣ（英語全称：Ｍａｃｈｉｎｅ  Ｔｙｐｅ  Ｃｏｍｍｕｎｉｃａｔｉｏｎ）通信をサポートする。予測によれば、２０２０年に、ネットワークに接続されるＭＴＣ装置は５００−１０００億に達し、これは現在の接続数をはるかに超える。Ｍ２Ｍ類サービスに対して、そのサービスの種類が大きく異なるため、ネットワークニーズは大きな違いがある。一般的に、以下のいくつかのニーズがある：
確実に伝送するが、遅延に敏感ではないこと、
遅延が低く、高い信頼性で伝送すること。
【００２８】
確実に伝送するが、遅延に敏感ではないというサービスに対して、処理しやすい。しかし、遅延が低く、高い信頼性で伝送するというサービスに対して、伝送する時に遅延が短いだけでなく、且つ信頼できることを要求し、例えばＶ２Ｖ（英語全称：Ｖｅｈｉｃｌｅ  ｔｏ  Ｖｅｈｉｃｌｅ）サービス又はＶ２Ｘ（英語全称：Ｖｅｈｉｃｌｅ  ｔｏ  Ｅｖｅｒｙｔｈｉｎｇ）サービスがある。伝送が信頼できない場合、再度送信して伝送遅延が大き過ぎ、要求を満たすことができない。本発明の実施例の解決策により、伝送の信頼性問題を効果的に解決することができる。
【００２９】
選択可能に、該端末装置はユーザ装置である。
【００３０】
本発明は端末装置と組み合わせて各実施例を説明する。端末装置は、ユーザ装置（ＵＥ：Ｕｓｅｒ  Ｅｑｕｉｐｍｅｎｔ）、移動局、アクセス端末、加入者ユニット、加入者局、移動サイト、遠隔局、遠隔端末、移動装置、ユーザ端末、端末、無線通信装置、ユーザエージェント又はユーザ装置などと呼ばれてもよい。端末装置はＷＬＡＮ（Ｗｉｒｅｌｅｓｓ  Ｌｏｃａｌ  Ａｒｅａ  Ｎｅｔｗｏｒｋｓ：無線ローカルエリアネットワーク）におけるＳＴ（ＳＴＡＩＯＮ、ステーション）であってもよし、セルラー電話、コードレス電話、ＳＩＰ（Ｓｅｓｓｉｏｎ  Ｉｎｉｔｉａｔｉｏｎ  Ｐｒｏｔｏｃｏｌ：セッション開始プロトコル）電話、ＷＬＬ（Ｗｉｒｅｌｅｓｓ  Ｌｏｃａｌ  Ｌｏｏｐ：無線ローカルループ）サイト、ＰＤＡ（Ｐｅｒｓｏｎａ１  Ｄｉｇｉｔａ１  Ａｓｓｉｓｔａｎｔ：パーソナルデジタル処理）、無線通信機能を備えたハンドヘルドデバイス、コンピューティングデバイス又は無線モデムに接続された他の処理装置、車載デバイス、ウェアラブルデバイス及び将来の５Ｇネットワークにおける移動局又は将来の進化したＰＬＭＮネットワークにおける端末装置などであってもよい。
【００３１】
また、本発明の実施例では、端末装置はさらにリレー（Ｒｅｌａｙ）などの、アクセスネットワーク装置（例えば基地局）とデータ通信を行うことができる他の装置をさらに備えることができる。
【００３２】
また、本発明の実施例では、アクセスネットワーク装置は移動局と通信するための装置であってもよく、アクセスネットワーク装置はＷＬＡＮ（Ｗｉｒｅｌｅｓｓ  Ｌｏｃａｌ  Ａｒｅａ  Ｎｅｔｗｏｒｋｓ：無線ローカルエリアネットワーク）におけるＡＰ（ＡＣＣＥＳＳ  ＰＯＩＮＴ：アクセスポイント）、ＧＳＭ又はＣＤＭＡ（Ｃｏｄｅ  Ｄｉｖｉｓｉｏｎ  Ｍｕｌｔｉｐｌｅ  Ａｃｃｅｓｓ：コード分割多重アクセス）におけるＢＴＳ（Ｂａｓｅ  Ｔｒａｎｓｃｅｉｖｅｒ  Ｓｔａｔｉｏｎ：基地局）であってもよいし、ＷＣＤＭＡにおけるＮＢ（ＮｏｄｅＢ：基地局）であってもよいし、ＬＴＥ（Ｌｏｎｇ  Ｔｅｒｍ  Ｅｖｏｌｕｔｉｏｎ：長期進化）におけるｅＮＢ又はｅＮｏｄｅＢ（Ｅｖｏｌｕｔｉｏｎａｌ  Ｎ  ｏｄｅ  Ｂ：進化型基地局）、又は中継局又はアクセスポイント、又は車載デバイス、ウェアラブルデバイス及び将来の５Ｇネットワークにおけるアクセスネットワーク装置又は将来の進化したＰＬＭＮネットワークにおけるアクセスネットワーク装置などであってもよい。
【００３３】
図１は本発明の実施例による装置間通信のための方法及び装置が適用された通信システム１００を示す図である。図１に示すように、該通信システム１００は少なくとも二つの端末装置、例えば図１の端末装置１１０及び端末装置１２０を備え、端末装置１１０及び端末装置１２０が例えばセルラー電話、スマートフォン、ポータブルコンピュータ、ハンドヘルド通信デバイス、ハンドヘルドコンピューティングデバイス、サテライトラジオデバイス、全地球測位システム、ＰＤＡ及び／又は無線通信システム１００で通信するための任意の他の適切なデバイスであってもよい。
【００３４】
所定の時間において、端末装置１１０及び端末装置１２０は無線通信用送信装置及び／又は無線通信用受信装置であってもよい。データを送信する場合、無線通信用送信装置は、伝送のためにデータを符号化することができる。具体的には、無線通信用送信装置は、チャネルを介して無線通信用受信装置に送信される一定数のデータビットを取得する（例えば生成したり、他の通信装置から受信したり、又はメモリに保存したりするなど）ことができる。このデータビットはデータの伝送ブロック（又は複数の伝送ブロック）に含まれてもよく、伝送ブロックは複数のコードブロックを生成するようにセグメント化されてもよい。
【００３５】
理解すべきものとして、以上に挙げられた通信システム１００が備えた端末装置の数が例示的説明だけであり、本発明はこれに限定されず、通信システム１００が備えた端末装置の数は１より大きい任意の整数であってもよい。
【００３６】
該通信システム１００は公衆陸上モバイルネットワーク（英語全称：Ｐｕｂｌｉｃ  Ｌａｎｄ  Ｍｏｂｉｌｅ  Ｎｅｔｗｏｒｋ、英語略称：ＰＬＭＮ）ネットワーク又はＤ２Ｄネットワーク又はＭ２Ｍネットワーク又はＶ２Ｖネットワーク又はＶ２Ｘネットワーク又は他のネットワークであってもよく、図１が一例の簡略化した模式図であり、ネットワークには、他のネットワーク装置が含まれてもよく、図１に示されない。例えば、通信システム１００はさらにアクセスネットワーク装置（図１に示されない）を備えることができる。
【００３７】
ここで、アクセスネットワーク装置は複数本のアンテナを含む。また、アクセスネットワーク装置は送信機チェーンと受信機チェーンを追加的に含むことができ、それらがいずれも信号送信及び受信と関連する複数の部材（例えばプロセッサ、変調器、マルチプレクサ、復調器、デマルチプレクサ又はアンテナなど）を含むことができることは当業者が理解できる。
【００３８】
アクセスネットワーク装置は複数の端末装置（例えば端末装置１１０及び端末装置１２０）と通信することができる。しかしながら、アクセスネットワーク装置が端末装置１１０又は１２０と同様の任意の数の端末装置と通信することができることは理解可能である。
【００３９】
さらに、アクセスネットワーク装置に複数本のアンテナが配置されてもよく、且つ、例えば、アクセスネットワーク装置は１本のアンテナを介し、順方向リンクに基づいて端末装置１１０へ情報を送信し、逆方向リンクを介して端末装置１１０から情報を受信することができる。さらに、アクセスネットワーク装置は別のアンテナを介し、順方向リンクに基づいて端末装置１２０へ情報を送信し、逆方向リンクを介して端末装置１２０から情報を受信することができる。
【００４０】
例えば、周波数分割複信（ＦＤＤ：Ｆｒｅｑｕｅｎｃｙ  Ｄｉｖｉｓｉｏｎ  Ｄｕｐｌｅｘ）システムでは、同一の端末装置に用いられた順方向リンク及び逆方向リンクに、異なる周波数帯を用いることができる。
【００４１】
また例えば、時分割複信（ＴＤＤ：Ｔｉｍｅ  Ｄｉｖｉｓｉｏｎ  Ｄｕｐｌｅｘ）システムと全二重システムでは、同一の端末装置に用いられた順方向リンク及び逆方向リンクに、同じ周波数帯域を用いることができる。
【００４２】
ここで、アクセスネットワーク装置は、通信するための各アンテナ（又は複数本のアンテナからなるアンテナ群）及び／又はアクセスネットワーク装置のセクタと呼ばれるエリアが設計される。例えば、アンテナ群はアクセスネットワーク装置カバレッジのセクタの端末装置と通信するように設計されてもよい。アクセスネットワーク装置が順方向リンクを介してそれぞれ端末装置と通信する過程では、アクセスネットワーク装置の送信アンテナはビームフォーミングにより順方向リンクの信号対雑音比を向上させることができる。また、アクセスネットワーク装置が１本のアンテナを介してその全ての端末装置へ信号を送信するという方法と比較すると、アクセスネットワーク装置がビームフォーミングにより関連するカバレッジエリアにおけるランダムに分散している端末装置へ信号を送信する場合、隣接するセルの移動装置はより少ない干渉を受ける。
【００４３】
所定の時間において、アクセスネットワーク装置は無線通信用送信装置及び／又は無線通信用受信装置であってもよい。データを送信する場合、無線通信用送信装置は、伝送のためにデータを符号化することができる。具体的には、無線通信用送信装置は、チャネルを介して無線通信用受信装置に送信される一定数のデータビットを取得する（例えば生成したり、他の通信装置から受信したり、又はメモリに保存したりするなど）ことができる。このデータビットはデータの伝送ブロック（又は複数の伝送ブロック）に含まれてもよく、伝送ブロックは複数のコードブロックを生成するようにセグメント化されてもよい。
【００４４】
以下に本発明の実施例における装置間通信に用いられた周波数領域リソースを説明する。
【００４５】
選択可能に、本発明の実施例では、端末装置は、アンライセンススペクトルリソース（又はアンライセンス周波数帯域）を用いて装置間通信を行うことができ、即ち、本発明の実施例における通信システム１００は、アンライセンス周波数帯域を用いることができる通信システムであり、限定ではなく一例として、該通信システム１００はアンライセンス搬送波上の長期進化型システムＬＡＡ−ＬＴＥ（Ｌｉｃｅｎｓｅｄ−Ａｓｓｉｓｔｅｄ  Ａｃｃｅｓｓ  Ｕｓｉｎｇ  ＬＴＥ）技術を用いることができ、又は、該通信システムがアンライセンス周波数帯域に独立して配置されることをサポートするという技術例えばＳｔａｎｄａｌｏｎｅ  ＬＴＥ  ｏｖｅｒ  ｕｎｌｉｃｅｎｓｅｄ  ｓｐｅｃｔｒｕｍを用いることもでき、又は、ＬＴＥ−Ｕ（ＬＴＥ−Ｕ：ＬＴＥ  Ａｄｖａｎｃｅｄ  ｉｎ  Ｕｎｌｉｃｅｎｓｅｄ  Ｓｐｅｃｔｒｕｍｓ）技術を用いることもでき、例えば、通信システム１００はＬＴＥシステムをアンライセンス周波数帯域に独立して配置し、さらにアンライセンス周波数帯域にＬＴＥエアインタフェースプロトコルを用いて通信を完了することができ、該システムはライセンス周波数帯域を含めない。アンライセンス周波数帯域に配置されたＬＴＥシステムは、集中スケジューリング、干渉協調、適応型リクエスト再送（ＨＡＲＱ）などの技術を用いることができ、Ｗｉ−Ｆｉなどのアクセス技術に対して、該技術がより良いロバスト性を有し、より高いスペクトル効率を取得し、より広いカバレッジ及びより良いユーザーエクスペリエンスを提供することができる。
【００４６】
アンライセンススペクトルリソースとはシステムによって割り当てられる必要がないものを意味し、各通信装置はアンライセンススペクトルに含まれるリソースを共有して用いることができる。アンライセンス周波数帯域上のリソース共有とは特定のスペクトラムの使用に対して送信電力、帯域外漏れなどのインジケータ上の制限のみを規定し、該周波数帯域を共同で用いる複数の装置同士が基本的な共存要求を満たすことを保証することを意味し、事業者はアンライセンス周波数帯域リソースを用いてネットワーク容量転用の目的を達成することができるが、アンライセンス周波数帯域リソースに対する異なる地域及び異なるスペクトルの規制要求に従う必要がある。これらの要求は一般的にレーダーなどの公共システムを保護し、及び複数のシステムができるだけ相互に悪い影響を与えないようにし、公平で共存することを保証するために定められ、送信電力制限、帯域外漏れインジケータと屋内及び屋外での使用制限、一部の地域でのいくつかの追加された共存ポリシーなどを含む。例えば、各通信装置は競争方式又はモニタリング方式、例えばリッスンビフォアトーク（ＬＢＴ：Ｌｉｓｔｅｎ−ｂｅｆｏｒｅ−ｔａｌｋ）に定められた方式で用いられたスペクトルリソースを用いることができる。
【００４７】
限定ではなく一例として、本発明の実施例では、該アンライセンススペクトルリソースは５ＧＨｚの付近の約９００ＭＨｚの周波数帯域、２．４ＧＨｚ周波数帯域の付近の約９００ＭＨｚの周波数帯域を含むことができる。
【００４８】
本発明の実施例では、端末装置はさらにライセンススペクトルリソースを用いて通信することができ、即ち、本発明の実施例の通信システム１００はライセンス周波数帯域を用いることができる通信システムである。
【００４９】
ライセンススペクトルリソースは、使用される前に一般的に国家又は地方無線委員会の承認を得る必要があるスペクトルリソースであり、異なるシステム例えばＬＴＥシステムとＷｉＦｉシステム、又は、異なる事業者に含まれるシステムはライセンススペクトルリソースを共有して用いることができない。
【００５０】
図２は本発明の一実施例による装置間通信方法２００の概略フローチャートである。図２に示すように、該方法２００は、
第一の端末装置が装置間通信サービスに属する第一のサービスのデータを伝送するための第一の時間周波数リソースを取得するＳ２１０と、
該第一の端末装置が該第一の時間周波数リソースに基づき、装置間通信サービスに属する第二のサービスのデータを送信するＳ２２０とを含む。
【００５１】
具体的には、Ｓ２１０で、端末装置Ａ（即ち第一の端末装置の一例）はサービスＡ（即ち第一のサービスの一例）を生成することができ、且つ、端末装置Ａは時点Ａに該サービスＡのデータを伝送するための時間周波数リソースＡ（即ち第一の時間周波数リソースの一例）を取得することができる。
【００５２】
限定ではなく一例として、例えば、本発明の実施例では、端末装置Ａはアクセスネットワーク装置（例えば基地局）のスケジューリングに基づいて該時間周波数リソースＡを取得することができ、且つ、この場合、該時間周波数リソースＡは該アクセスネットワーク装置が用いられたライセンススペクトルリソース又はアンライセンススペクトルリソースから確定したものであってもよく、本発明で特定に限定されない。且つ、端末装置Ａがアクセスネットワーク装置のスケジューリングに基づいて該時間周波数リソースＡを取得する具体的なプロセス及び方法は従来技術における端末装置がアクセスネットワーク装置のスケジューリングに基づいて装置間通信を行うための時間周波数リソースを取得する具体的なプロセス及び方法と同様であってもよく、ここで繰り返しを回避するために、その詳細な説明を省略する。
【００５３】
又は、本発明の実施例では、端末装置Ａは該時間周波数リソースＡを自律的に確定することができ、例えば、端末装置Ａは例えば競争方式又はモニタリングなどの方式を用いて該時間周波数リソースＡを確定することができ、且つ、この場合、該時間周波数リソースＡは、通信システムから提供された、複数の端末装置が競争など方式で用いるライセンススペクトルリソース又はアンライセンススペクトルリソースに属してもよく、本発明で特定に限定されない。且つ、端末装置Ａが該時間周波数リソースＡを自律的に確定する具体的なプロセス及び方法は従来技術における端末装置が装置間通信のための時間周波数リソースを自律的に確定する具体的なプロセス及び方法と同様であってもよく、ここで繰り返しを回避するために、その詳細な説明を省略する。
【００５４】
Ｓ２２０で、端末装置Ａが時点Ｂ（時点Ａの後に位置する）にサービスＢ（即ち第二のサービスの一例）を生成する場合、該端末装置Ａは該時間周波数リソースＡにより該サービスＢのデータを伝送することができる。
【００５５】
これにより、該端末装置Ａは、該サービスＢのデータを伝送するための時間周波数リソースＢ（即ち第二の時間周波数リソースの一例）を取得するプロセスを必要としないので、該サービスＢの伝送遅延を低減させることができる。
【００５６】
限定ではなく一例として、本発明の実施例では、一つ又は複数のプリセット条件を設定することもでき、端末装置Ａは該サービスＢ、サービスＡ及び時間周波数リソースＡなどのパラメータに基づき、該プリセット条件が満たされるか否かを確定し、且つ該プリセット条件が満たされることを確定した後、該時間周波数リソースＡにより該サービスＢのデータを伝送することができる。
【００５７】
限定ではなく一例として、本発明の実施例では、プリセット条件として以下の少なくとも一つを挙げることができる。
【００５８】
条件Ａ
選択可能に、該第一の端末装置が該第一の時間周波数リソースに基づき、第二のサービスのデータを送信する前に、該方法はさらに、
該第一の端末装置が該第二のサービスの優先度が該第一のサービスの優先度より高いことを確定すること、又は
該第一の端末装置が該第二のサービスの緊急度が該第一のサービスの緊急度より高いことを確定すること、又は
該第一の端末装置が該第二のサービスのサービスタイプが予め設定された、少なくとも一つのサービスタイプを含む第一のサービスタイプセットに属することを確定することを含む。
【００５９】
具体的には、該端末装置Ａが該時間周波数リソースＡにより該サービスＢのデータを伝送する前に、該端末装置Ａはさらに該サービスＢの伝送がサービスＡの伝送よりも優先できる否かを確定することができる。
【００６０】
限定ではなく一例として、例えば、端末装置Ａは該サービスＢと該サービスＡの優先度に基づき、該サービスＢの伝送がサービスＡの伝送よりも優先できるか否かを確定することができる。例えば、本発明の実施例では、端末装置Ａは、各サービスの優先度を示すための情報（以下に理解及び説明を容易にするために、優先度情報と記述される）を取得することができ、限定ではなく一例として、該端末装置Ａはネットワーク装置（例えば基地局などのアクセスネットワーク装置）から該優先度情報を取得することができ、又は、該優先度情報は該端末装置Ａを出荷する時に製造者によって該端末装置Ａに設定されてもよく、又は、該優先度情報はユーザによって該端末装置Ａ内に入力されてもよい。これにより、該端末装置Ａは該優先度情報に基づき、サービスＢと該サービスＡの優先度を確定することができ、且つ、サービスＢの優先度が該サービスＡの優先度より高い場合、該端末装置Ａは該サービスＢの伝送がサービスＡの伝送よりも優先することを確定することができ、さらに、該端末装置Ａは該時間周波数リソースＡにより該サービスＢのデータを伝送することができる。且つ、限定ではなく一例として、本発明の実施例では、該優先度情報は多種のサービスタイプセットと多種の優先度との第一の対応関係を示すことができ、ここで、各サービスタイプセットが少なくとも一つのサービスタイプを含み、これにより、端末装置Ａは該サービスＡのサービスタイプに基づき、該サービスＡが属するサービスタイプセットを確定し、さらに該サービスＡの優先度を確定することができ、同様に、端末装置Ａは該サービスＢのサービスタイプに基づき、該サービスＢが属するサービスタイプセットを確定し、さらに該サービスＢの優先度を確定することができる。又は、本発明の実施例では、該優先度情報は多種のサービス識別子セットと多種の優先度との第一の対応関係を示すことができ、ここで、各サービス識別子セットが少なくとも一つのサービス識別子を含み、これにより、端末装置Ａは該サービスＡのサービス識別子に基づき、該サービスＡが属するサービス識別子セットを確定し、さらに該サービスＡの優先度を確定することができ、同様に、端末装置Ａは該サービスＢのサービス識別子に基づき、該サービスＢが属するサービス識別子セットを確定し、さらに該サービスＢの優先度を確定すること
ができる。また、限定ではなく一例として、優先度の降順に従い、本発明の実施例の優先度は順次高級、一般及び低級であってもよい。
【００６１】
また、例えば、端末装置Ａは該サービスＢと該サービスＡの緊急度に基づき、該サービスＢの伝送がサービスＡの伝送よりも優先できることを確定することができる。例えば、本発明の実施例では、端末装置Ａは各サービスの緊急度を示すための情報（以下に理解及び説明を容易にするために、緊急度情報と記述される）を取得することができ、限定ではなく一例として、該端末装置Ａはネットワーク装置（例えば基地局などのアクセスネットワーク装置）から該緊急度情報を取得することができ、又は、該緊急度情報は該端末装置Ａを出荷する時に製造者によって該端末装置Ａに設定されてもよく、又は、緊急度情報はユーザによって該端末装置Ａ内に入力されてもよい。これにより、該端末装置Ａは該緊急度情報に基づき、サービスＢと該サービスＡの緊急度を確定することができ、且つ、サービスＢの緊急度が該サービスＡの緊急度より高い場合、該端末装置Ａは該サービスＢの伝送がサービスＡの伝送よりも優先することを確定することができ、さらに、該端末装置Ａは該時間周波数リソースＡにより該サービスＢのデータを伝送することができる。且つ、限定ではなく一例として、本発明の実施例では、該緊急度情報は多種のサービスタイプセットと多種の緊急度との第一の対応関係を示すことができ、ここで、各サービスタイプセットが少なくとも一つのサービスタイプを含み、これにより、端末装置Ａは該サービスＡのサービスタイプに基づき、該サービスＡが属するサービスタイプセットを確定し、さらに該サービスＡの緊急度を確定することができ、同様に、端末装置Ａは該サービスＢのサービスタイプに基づき、該サービスＢが属するサービスタイプセットを確定し、さらに該サービスＢの緊急度を確定することができる。又は、本発明の実施例では、該緊急度情報は多種のサービス識別子セットと多種の緊急度との第一の対応関係を示すことができ、その中、各サービス識別子セットが少なくとも一つのサービス識別子を含み、これにより、端末装置Ａは該サービスＡのサービス識別子に基づき、該サービスＡが属するサービス識別子セットを確定し、さらに該サービスＡの緊急度を確定することができ、同様に、端末装置Ａは該サービスＢのサービス識別子に基づき、該サービスＢが属するサービス識別子セットを確定し、さらに該サービスＢの緊急度を確定することができる。また、限定では
なく一例として、緊急度の降順に従い、本発明の実施例の緊急度は緊急と非緊急であってもよい。
【００６２】
また、例えば、端末装置Ａは該サービスＢのサービスタイプに基づき、該サービスＢの伝送がサービスＡの伝送よりも優先できることを確定することができる。例えば、本発明の実施例では、端末装置Ａは優先的に伝送可能なサービスのサービスタイプを示すための情報（以下に理解及び説明を容易にするために、サービスタイプ情報と記述される）を取得することができ、限定ではなく一例として、該端末装置Ａはネットワーク装置（例えば基地局などのアクセスネットワーク装置）から該サービスタイプ情報を取得することができ、又は、該サービスタイプ情報は該端末装置Ａを出荷する時に製造者によって該端末装置Ａに設定されてもよく、又は、サービスタイプ情報はユーザによって該端末装置Ａ内に入力されてもよい。これにより、該端末装置Ａは該サービスタイプ情報に基づき、優先的に伝送可能な（一つ又は複数の）サービスのサービスタイプ（即ち第一のサービスタイプセットの一例）を確定することができ、サービスＢのサービスタイプが優先的に伝送可能なサービスのサービスタイプに属する場合、該端末装置Ａは該サービスＢの伝送がサービスＡの伝送よりも優先することを確定することができ、さらに、該端末装置Ａは該時間周波数リソースＡにより該サービスＢのデータを伝送することができる。
【００６３】
条件Ｂ
選択可能に、該第一の端末装置が該第一の時間周波数リソースに基づき、第二のサービスのデータを送信する前に、該方法はさらに、
該第一の端末装置が該第二のサービスのデータを伝送するために必要な最小の時間周波数リソースである第二の時間周波数リソースのサイズを確定することと、
該第一の端末装置が該第一の時間周波数リソースのサイズが該第二の時間周波数リソースのサイズ以上であることを確定することとを含む。
【００６４】
具体的には、本発明の実施例では、端末装置Ａは該サービスＢを伝送するために必要な最小の時間周波数リソース（例えば時間周波数リソースＢ）のサイズを確定することができ、且つ、時間周波数リソースＡのサイズが時間周波数リソースＢのサイズ以上である場合、又は、時間周波数リソースＡのサイズが該サービスＢのデータの最低伝送要求を満たすことができる場合、該端末装置Ａは該時間周波数リソースＡによって該サービスＢのデータを伝送することができる。
【００６５】
限定ではなく一例として、本発明の実施例では、端末装置ＡはサービスＢのサービス品質（ＱｏＳ：Ｑｕａｌｉｔｙ  ｏｆ  Ｓｅｒｖｉｃｅ）要求に応じて、該サービスＢが許可できる最高の変調符号化方式（ＭＣＳ：Ｍｏｄｕｌａｔｉｏｎ  ａｎｄ  Ｃｏｄｉｎｇ  Ｓｃｈｅｍｅ）を確定し、さらに該サービスＢのデータを伝送するために必要な最小の時間周波数リソースを確定することができる。
【００６６】
条件Ｃ
選択可能に、該第一の端末装置が該第一の時間周波数リソースに基づき、第二のサービスのデータを送信する前に、該方法はさらに、
該第一の端末装置が該第一のサービスの伝送モードが半静的伝送であることを確定することを含み、該第一の時間周波数リソースが具体的に該第一のサービスの次の伝送周期に対応する時間周波数リソースである。
【００６７】
具体的には、スケジューリングに基づいて時間周波数リソースを確定する方式では、通信技術の発展に伴い、多種の装置間通信サービスのスケジューリング方式、例えば動的スケジューリング、静的スケジューリングと半静的スケジューリングなどを提供することができるようになっている。
【００６８】
ここで、半静的スケジューリング（即ち半静的伝送の一例）は半永続スケジューリングと呼ばれても良く、即ち、アクセスネットワーク装置は端末装置に一定の通信時間長範囲（又は半静的伝送の有効時間範囲）を割り当てることができ、該半静的伝送の有効時間範囲内で端末装置は一定の周期（動作周期（Ｄｕｔｙ  Ｃｙｃｌｅ）と呼ばれてもよい）に従ってアクセスネットワーク装置に割り当てられた周波数領域リソースを使用することができ、これにより、アクセスネットワーク装置は、一回のリソーススケジューリングにより、該半静的伝送の有効時間範囲内で使用される周波数領域リソースを端末装置に通知することができ、且つ該半静的伝送の有効時間範囲内でスケジューリング命令により該周波数領域リソースを示す必要がなく、動的スケジューリングと比べ、このスケジューリング方式の柔軟性が多少欠如しているが、制御シグナリングオーバーヘッドが小さく、バースト特徴が目立たなく、速度の保証が求められるサービス、例えばネットワーク音声（ＶｏＩＰ：Ｖｏｉｃｅ  ｏｖｅｒ  Ｉｎｔｅｒｎｅｔ  Ｐｒｏｔｏｃｏｌ）サービス又は長期進化音声（ＶｏＬＴＥ：Ｖｏｉｃｅ  ｏｖｅｒ  Ｌｏｎｇ  Ｔｅｒｍ  Ｅｖｏｌｕｔｉｏｎ）サービスなどに適する。
【００６９】
同様に、競争方式又はモニタリング方式などを用いて時間周波数リソースを確定する場合において、端末装置は一定の通信時間長範囲（又は、半静的伝送の有効時間範囲、例えば一回のバースト伝送に対応する時間長範囲、又は、一回の伝送チャンスに対応する時間長範囲）を競争することができ、該半静的伝送の有効時間範囲内で、端末装置は競争された周波数領域リソースを一定の周期に従って使用することができ、これにより、端末装置は一回の競争により、該半静的伝送の有効時間範囲内で使用される周波数領域リソースを取得し、該半静的伝送の有効時間範囲内で周波数領域リソースを競争又はモニタリングする必要がない。
【００７０】
端末装置Ａが該サービスＡの時間周波数リソースを使用してサービスＢのデータを伝送するか否かを判定する時点が時点Ｃ（即ち現在の時点の一例、限定ではなく一例として、該時点Ｃと時点Ｂが同一の時点であってもよい）とし、この場合、該時間周波数リソースＡは、該サービスＡの時点Ｃの後の１個目の伝送周期（即ちサービスＡの次の伝送周期（例えば次のＤｕｔｙ  Ｃｙｃｌｅ）、又は、サービスＡの次の伝送期間）に対応する時間周波数リソースであってもよい。
【００７１】
限定ではなく一例として、サービスＡの隣接する２つの伝送周期（又は伝送期間）が周期Ａと周期Ｂとし、該時点Ｃが該周期Ａと周期Ｂの間（具体的には、周期Ａの開始時点の後から周期Ｂの開始時点の前までの期間）にある場合、「サービスＡの次の伝送周期」は周期Ｂであってもよい。
【００７２】
これにより、該サービスＡの伝送方式が半静的伝送である場合、端末装置Ａは該サービスＡのデータが複数の伝送周期が存在し得ることを確定することができ、即ち、時間周波数リソースＡに対応する時間範囲以外、サービスＡを伝送するための複数の時間範囲が存在する可能性があり、これにより、端末装置Ａは、該時間周波数リソースＡを占有することによる該サービスＡの伝送に対する影響が小さいことを確定することができ、これにより、ユーザ体験をさらに向上し、伝送の信頼性を高めることができる。
【００７３】
条件Ｄ
選択可能に、該第一の端末装置が該第一の時間周波数リソースに基づき、第二のサービスのデータを送信する前に、該方法はさらに、
該第一の端末装置が第一の判定処理を開始し、第一の判定処理を開始する時点から時間領域における該第一の時間周波数リソースの開始時点までの時間長である第一の時間長が予め設定された第一の閾値以下であることを確定することを含む。
【００７４】
具体的には、端末装置Ａは該サービスＡの時間周波数リソースを使用してサービスＢのデータを伝送するか否かを判定する処理（即ち第一の判定処理の一例）を行うことができ、且つ、端末装置Ａは該第一の判定処理の開始時点（例えば上記時点Ｃ、限定ではなく一例として、該時点Ｃと時点Ｂが同一の時点であってもよい）を記録することができる。
【００７５】
上記時点Ｃと時間周波数リソースＡの開始時点との時間長が時間長Ａ（即ち第一の時間長の一例）とする場合、上記条件Ｃに基づき、端末装置Ａはさらに該時間長Ａが予め設定された時間閾値＃１（即ち第一の閾値の一例）以下であるか否かを確定することができる。「はい」と判定した場合、端末装置Ａは、時間周波数リソースＡを使用してサービスＢのデータを伝送することを確定することができる。
【００７６】
限定ではなく一例として、該時間閾値＃１は、端末装置Ａによる時間周波数リソース（例えば上記時間周波数リソースＢ）の取得処理を開始してから時間周波数リソースの確定までの時間長であってもよく、例えば、該時間閾値＃１は、端末装置Ａが基地局へリソーススケジューリングリクエストを開始してから基地局により割り当てられた時間周波数リソースを受信して解析するまでの時間長であってもよく、又は、該時間閾値＃１は端末装置Ａが競争又はモニタリングを開始してから時間周波数リソースを確定するまでの時間長であってもよい。
【００７７】
また、本発明の実施例では、該時間閾値＃１は実験に基づいて取得されてもよく、且つ該端末装置Ａを出荷する時に製造者によって該端末装置Ａ内に予め設定されてもよく、又は、該時間閾値＃１はユーザによって端末装置Ａに入力されてもよく、本発明で特に限定されない。
【００７８】
且つ、限定ではなく一例として、該時間閾値＃１は具体的なある時間長であってもよいし、多種の時間長を含む時間長範囲であってもよく、本発明で特に限定されず、また、限定ではなく一例として、該時間閾値＃１は例えば１０ミリ秒（ｍｓ）であってもよい。
【００７９】
これにより、時間長Ａが予め設定された時間閾値＃１以下である場合、時間周波数リソースＡによりサービスＢのデータを伝送する遅延が上記時間周波数リソースＢによりサービスＢのデータを伝送する遅延より小さいことが示され、これにより、本発明の効果をさらに向上させることができる。
【００８０】
条件Ｅ
選択可能に、該第一の端末装置が該第一の時間周波数リソースに基づき、第二のサービスのデータを送信する前に、該方法はさらに、
該第一の端末装置が第一の判定処理を開始し、第一の判定処理を開始する時点から該第一の時間周波数リソースの開始時点までの時間長である第一の時間長が予め設置された第二の閾値以上であることを確定することと、
該第一の端末装置が第三の時間周波数リソースを取得するための処理を開始することと、
該第一の端末装置が第二の判定処理を開始し、該第一の端末装置が該第二のサービスのデータを伝送するための第三の時間周波数リソースを取得するための処理を開始する時点から第二の判定処理を開始する時点までの時間長である第二の時間長が予め設定された第三の閾値以上であることを確定することとを含む。
【００８１】
具体的には、端末装置Ａは該サービスＡの時間周波数リソースを使用してサービスＢのデータを伝送するか否かを判定する処理（即ち第一の判定処理の一例）を行うことができ、且つ、端末装置Ａは該第一の判定処理の開始時点（例えば上記時点Ｃ、限定ではなく一例として、該時点Ｃと時点Ｂが同一の時点であってもよい）を記録することができる。
【００８２】
上記時点Ｃと時間周波数リソースＡの開始時点との間の時間長が時間長Ａ（即ち第一の時間長の一例）とする場合、上記条件Ｃに基づき、端末装置Ａはさらに該時間長Ａが予め設定された時間閾値＃２（即ち第一の閾値の一例）以下であるか否かを確定することができる。
【００８３】
限定ではなく一例として、該時間閾値＃２は、端末装置Ａに基づいて時間周波数リソース（例えば上記時間周波数リソースＢ）の取得処理を開始してから時間周波数リソースを確定するまでの時間長であってもよく、例えば、該時間閾値＃２は端末装置Ａが基地局へリソーススケジューリングリクエストを開始してから基地局により割り当てられた時間周波数リソースを受信して解析するまでの時間長であってもよく、又は、該時間閾値＃２は端末装置Ａが競争又はモニタリングを開始してから時間周波数リソースを確定するまでの時間長であってもよい。
【００８４】
また、本発明の実施例では、該時間閾値＃２は実験に基づいて取得されてもよく、且つ該端末装置Ａを出荷する時に製造者によって該端末装置Ａ内に予め設定されてもよく、又は、該時間閾値＃２はユーザによって端末装置Ａに入力されてもよく、本発明で特に限定されない。
【００８５】
且つ、限定ではなく一例として、該時間閾値＃２は具体的なある時間長であってもよいし、多種の時間長を含む時間長範囲であってもよく、本発明で特に限定されず、また、限定ではなく一例として、該時間閾値＃２は例えば１０ミリ秒（ｍｓ）であってもよい。
【００８６】
説明すべきものとして、本発明の実施例では、該時間閾値＃２が時間閾値＃１と同じであってもよく、又は、時間閾値＃２が時間閾値＃１より大きくてもよく、本発明で特に限定されない。
【００８７】
これにより、時間長Ａが予め設定された時間閾値＃２以上である場合、該第一の判定処理の結果は時間周波数リソースＡを使用してサービスＢのデータを伝送する遅延がサービスＢのデータを伝送するための時間周波数リソースを新しく取得する遅延より大きい可能性があることが示され、これにより、端末装置Ａは時間周波数リソースＢの取得処理を開始することができる。且つ、端末装置Ａは時間周波数リソースＢの取得処理を開始する時点（時点Ｄと記述される）を記録することができる。
【００８８】
端末装置Ａは時間周波数リソースＡの開始時点の前に、該サービスＡの時間周波数リソースを使用してサービスＢのデータを伝送するか否かを再度判定することができ（即ち第二の判定処理の一例）、且つ、端末装置Ａは該時点Ｄから該第二の判定処理の開始時点までの時間長Ｂ（即ち第二の時間長の一例）を確定することができる。
【００８９】
端末装置Ａはさらに時間長Ｂが予め設定された閾値＃３（即ち第三の閾値の一例）以上であるか否かを判定することができる。「はい」と判定した場合、端末装置Ａは時間周波数リソースＡを使用してサービスＢのデータを伝送することを確定することができる。
【００９０】
限定ではなく一例として、該時間閾値＃３は、端末装置Ａによる時間周波数リソース（例えば上記時間周波数リソースＢ）の取得処理を開始してから時間周波数リソースを確定するまでの時間長であってもよく、例えば、該時間閾値＃３は端末装置Ａが基地局へリソーススケジューリングリクエストを開始してから基地局に割り当てられた時間周波数リソースを受信して解析するまでの時間長であってもよく、又は、該時間閾値＃３は端末装置Ａが競争又はモニタリングを開始してから時間周波数リソースを確定するまでの時間長であってもよい。
【００９１】
これにより、時間長Ｂが予め設定された時間閾値＃３以上である場合、端末装置Ａが時間周波数リソースＢを取得することができないことが示され、これにより、時間周波数リソースＡによりサービスＢのデータを伝送する遅延がやはり上記時間周波数リソースＢによりサービスＢのデータを伝送する遅延より小さい可能性があり、これにより、本発明の効果をさらに向上させることができる。
【００９２】
説明すべきものとして、本発明の実施例では、時間閾値＃３が時間閾値＃２より小さくてもよく、これにより、端末装置Ａが時間周波数リソースＡを使用してサービスＢのデータを伝送することを決定する時点に時間周波数リソースＡの開始時点に達しないことを確保することができ、さらに、時間周波数リソースＡに基づいてサービスＢを伝送する信頼性を確保することができる。
【００９３】
条件Ｆ
該第二のサービスの伝送モードが半静的伝送である場合、該第一の端末装置が該第一の時間周波数リソースに基づき、第二のサービスのデータを送信する前に、該方法はさらに、
該第一の端末装置が該第二のサービスの伝送周期が該第一のサービスの伝送周期の整数倍であることを確定することを含む。
【００９４】
具体的には、本発明の実施例では、サービスＡの伝送方式が半静的伝送であり、且つサービスＢの伝送方式が半静的伝送である場合、端末装置ＡはサービスＢの伝送周期がサービスＡの伝送周期の整数倍であるか否かを判定することができ、「はい」と判定した場合、端末装置Ａは時間周波数リソースＡを使用してサービスＢのデータを伝送することを確定することができる。限定ではなく一例として、例えば、サービスＡの伝送周期がＸミリ秒で、Ｘ＞０である場合、サービスＢの伝送周期がＫ×Ｘミリ秒である場合、端末装置Ａは時間周波数リソースＡを使用してサービスＢのデータを伝送することができ、Ｋが０より大きい整数である。
【００９５】
これにより、サービスＡの時間周波数リソースを使用してサービスＢのデータを完全に伝送することがきることを確保できる。限定ではなく一例として、例えば、サービスＡの周期（又はサービスＡの隣接する２つの伝送期間の時間間隔）が１０ｍｓであり、サービスＢの周期（又はサービスＢの隣接する２つの伝送期間の時間間隔）が２０ｍｓであり、サービスＡの総伝送時間長範囲がサービスＢの総伝送時間長範囲を含む場合、サービスＢの各伝送期間のデータはサービスＡの時間周波数リソースにより伝送されることができる。また、例えば、サービスＢの周期（又はサービスＡの隣接する２つの伝送期間の時間間隔）が５ｍｓであり、サービスＡの周期（又はサービスＢの隣接する２つの伝送期間の時間間隔）が１０ｍｓである場合、サービスＢの部分の伝送期間のデータはサービスＡの時間周波数リソースにより伝送されることができず、例えば、サービスＡとサービスＢの第一の周期の開始時点が重なる場合、サービスＢの偶数の伝送期間のデータはサービスＡの時間周波数リソースにより伝送されることができない。
【００９６】
理解すべきものとして、以上に挙げられた各判定条件が例示的な説明だけであるが、本発明はこれに限定されず、且つ、上記の各条件は個別に使用されてもよく、組み合わせて使用されてもよく、本発明で特に限定されない。
【００９７】
本発明の実施例では、複数の第一のサービスが同時に存在する可能性があり、即ち、サービスＡ以外、時点Ｂの前に伝送リソースが既に取得している他のサービスが存在する可能性があり、以下に、理解及び説明を容易にするために、サービスＣを例とし、サービスＡ以外の第一のサービスを説明する。即ち、時点Ｂの前に、端末装置Ａは既にサービスＣのデータを伝送するための時間周波数リソース（即ち第一の時間周波数リソースの別の例、以下に理解及び区分を容易にするために、時間周波数リソースＣと記述される）を既に取得している。
【００９８】
且つ、選択可能に、端末装置ＡはさらにサービスＣが上記条件Ａ〜条件Ｅのうちの一つ又は複数を満たすか否かを判定することができる。
【００９９】
これにより、端末装置Ａが時間周波数リソースＡと時間周波数リソースＣがいずれもサービスＢのデータの伝送に用いられてもよいことを判定した場合、端末装置Ａはさらに時間周波数リソースＡと時間周波数リソースＣから一つの時間周波数リソース（即ちターゲット第一のサービスに対応する第一の時間周波数リソースの一例）を選択し、サービスＢのデータを伝送することができる。
【０１００】
限定ではなく一例として、端末装置Ａは各第一のサービス（例えばサービスＡとサービスＣ）に対応する第一の時間周波数リソース（例えば時間周波数リソースＡと時間周波数リソースＣ）の開始時点に基づき、ターゲット第一のサービス、及びターゲット第一のサービスの第一の時間周波数リソースを確定することができる。例えば、端末装置Ａは上記選択を行う時点（時点Ｆと記述される）を記録することができるため、上記のように、各第一の時間周波数リソースの開始時点が時点Ｆの後に位置し、且つ、端末装置Ａは開始時点が該時点Ｆに最も近い第一の時間周波数リソースに対応する第一のサービスをターゲット第一のサービスとすることができる。
【０１０１】
例えば、（上記条件Ａ〜条件Ｅのうちの一つ又は複数の条件を満たす）第一のサービスがサービスＡとサービスＣを含むと仮定し、時間周波数リソースＡの開始時点が時間周波数リソースＣの開始時点の前に位置する（その中、時間周波数リソースＣの開始時点及び時間周波数リソースＡの開始時点がいずれも時点Ｆの後に位置する）場合、端末装置ＡはサービスＡをターゲット第一のサービスとすることができ、即ち、端末装置Ａは時間周波数リソースＡを使用してサービスＢのデータを伝送することを確定することができる。
【０１０２】
端末装置Ａが時間周波数リソースＡによりサービスＢのデータを伝送した後、端末装置Ａは本来該時間周波数リソースＡで伝送すべきサービスＡのデータ（以下に理解と区分を容易にするために、データＡと記述される）をさらに処理することができる。
【０１０３】
例えば、選択可能に、該通信ユニットはさらに該第一の時間周波数リソースで伝送される必要がある該第一のサービスのデータを放棄することに用いられる。
【０１０４】
具体的には、端末装置ＡはデータＡを放棄することができる。
【０１０５】
又は、選択可能に、該取得ユニットはさらに第四の時間周波数リソースを取得することに用いられ、該第四の時間周波数リソースに対応する時間が第一の半静的伝送時間範囲以外にあり、該第一の半静的伝送時間範囲が該第一のサービスのデータを伝送するための時間範囲であり、該第一の半静的伝送時間範囲が第一の時間周波数リソースに対応する時間を含む。
【０１０６】
該通信ユニットはさらに該第四の時間周波数リソースにより該第一のサービスのデータを送信することに用いられる。
【０１０７】
具体的には、本発明の実施例では、上記時間周波数リソースＡがサービスＢのデータを伝送することに用いられるため、データＡが伝送されず、この場合、端末装置ＡはデータＡを一つの周期遅延させて送信することができ、且つ、サービスＡの、伝送順序（時間順序）において該データＡの後に位置するデータが順次一つの周期遅延されてもよい。
【０１０８】
この場合、端末装置Ａによって取得された、サービスＡのデータを伝送するための時間周波数リソースのサイズがサービスＡのデータ量しかを満たすことができない場合、上記時間周波数リソースＡがサービスＢのデータを伝送することに用いられるため、取得された、サービスＡのデータを伝送するための時間周波数リソースがサービスＡのデータの伝送に対して十分ではなくなり、さらに、サービスＡの、伝送順序において最後に位置するデータ（以下に理解と区分を容易にするために、データＢと記述される）を搬送できる時間周波数リソースがなくなる。
【０１０９】
これに対して、端末装置Ａは、例えばサービスＡの半静的伝送の有効時間範囲内で、該データＢを伝送するための時間周波数リソースを取得するプロセスを開始することができ、且つ、サービスＡの半静的伝送の有効時間範囲内で、該データＢを伝送するための時間周波数リソースを取得することができる場合、端末装置Ａは、取得された時間周波数リソースにより該データＢを伝送することができ、サービスＡの半静的伝送の有効時間範囲内で、該データＢを伝送するための時間周波数リソースを取得することができない場合、端末装置Ａは、該データＢを放棄することができる。
【０１１０】
理解すべきものとして、以上に挙げられたデータＡとデータＢに対する処理方式が例示的な説明だけであり、本発明はこれに限定されず、例えば、端末装置ＡはさらにサービスＡのデータのうちの該データＡ以外のデータ（例えばデータＢ）を正常に送信することができ、且つ、端末装置Ａは、例えばサービスＡの半静的伝送の有効時間範囲内で、該データＡを伝送するための時間周波数リソースを取得するプロセスを開始することができ、且つ、サービスＡの半静的伝送の有効時間範囲内で、該データＡを伝送するための時間周波数リソースを取得することができる場合、端末装置Ａは、取得された時間周波数リソースにより該データＡを伝送することができ、サービスＡの半静的伝送の有効時間範囲内で、該データＡを伝送するための時間周波数リソースを取得することができない場合、端末装置Ａは、該データＢを放棄することができる。
【０１１１】
説明すべきものとして、本発明の実施例では、上記サービスＡが送信される必要がある端末装置はサービスＢが送信される必要がある端末装置と同じであってもよく、異なってもよく、本発明で特定に限定されない。
【０１１２】
且つ、本発明の実施例では、端末装置Ａ（即ち第一の端末装置の一例）はブロードキャスト送信方式を用い、サービスＡ（即ち第一のサービスの一例）のデータ及びサービスＢ（即ち第二のサービスの一例）のデータを送信することができる。
【０１１３】
これにより、ブロードキャスト方式を用いる場合、サービスＢの送信先の端末装置が該時間周波数リソースＡを検出できることを確保できるため、該時間周波数リソースＡからサービスＢのデータを取得する。
【０１１４】
本発明の実施例による装置間通信方法では、第一の端末装置が時間領域で取得した、第一のサービスのデータを伝送するための第一の時間周波数リソースを用い、第二のサービスのデータを送信することにより、例えば、第二のサービスが伝送遅延に対して高く要求される場合、端末装置は、該第二のサービスを伝送するための時間周波数リソースの取得を開始することなく、該第二のサービスの伝送遅延を短縮させ、装置間通信の柔軟性と信頼性を向上させることができる。
【０１１５】
以上に図１〜図２を参照して本発明の実施例による装置間通信方法を説明し、以下に図３を参照して本発明の実施例による装置間通信装置を詳細に説明する。
【０１１６】
図３は本発明の実施例による装置間通信装置３００の概略ブロック図であり、図３に示すように、該装置３００は、
装置間通信サービスに属する第一のサービスのデータを伝送するための第一の時間周波数リソースを取得するように構成される取得ユニット３１０と、
該第一の時間周波数リソースに基づき、装置間通信サービスに属する第二のサービスのデータを送信するように構成される通信ユニット３２０とを備える。
【０１１７】
選択可能に、該装置３００はさらに、
該第二のサービスの優先度が該第一のサービスの優先度より高いことを確定し、又は
該第二のサービスの緊急度が該第一のサービスの緊急度より高いことを確定し、又は
該第二のサービスのサービスタイプが予め設定された、少なくとも一つのサービスタイプを含む第一のサービスタイプセットに属することを確定するように構成される確定ユニット３３０を備える。
【０１１８】
選択可能に、該装置３００はさらに、
該第二のサービスのデータを伝送するために必要な最小の時間周波数リソースである第二の時間周波数リソースのサイズを確定し、
該第一の時間周波数リソースのサイズが該第二の時間周波数リソースのサイズ以上であることを確定するように構成される確定ユニット３３０を備える。
【０１１９】
選択可能に、該装置３００はさらに、
該第一のサービスの伝送モードが半静的伝送であることを確定するように構成され、該第一の時間周波数リソースが具体的に該第一のサービスの次の伝送周期に対応する時間周波数リソースである確定ユニット３３０を備える。
【０１２０】
選択可能に、該確定ユニット３３０はさらに第一の判定処理を開始し、第一の判定処理を開始する時点から時間領域における該第一の時間周波数リソースの開始時点までの時間長である第一の時間長が予め設定された第一の閾値以下であることを確定するように構成される。
【０１２１】
選択可能に、該確定ユニット３３０はさらに第一の判定処理を開始し、第一の判定処理を開始する時点から該第一の時間周波数リソースの開始時点までの時間長である第一の時間長が予め設置された第二の閾値以上であることを確定し、
第三の時間周波数リソースを取得するための処理を開始し、
第二の判定処理を開始し、該第一の端末装置が該第二のサービスのデータを伝送するための第三の時間周波数リソースを取得するための処理を開始する時点から第二の判定処理を開始する時点までの時間長である第二の時間長が予め設定された第三の閾値以上であることを確定するように構成される。
【０１２２】
選択可能に、該第二のサービスの伝送モードが半静的伝送である場合、該確定ユニット３３０はさらに該第二のサービスの伝送周期が該第一のサービスの伝送周期の整数倍であることを確定するように構成される。
【０１２３】
選択可能に、該第一のサービスが少なくとも２つであり、該第一の時間周波数リソースが少なくとも２つであり、少なくとも２つの第一のサービスが少なくとも２つの第一の時間周波数リソースと一対一で対応し、各第一の時間周波数リソースが対応する第一のサービスのデータを伝送することに用いられ、且つ、該第一の時間長が少なくとも２つであり、少なくとも２つの第一の時間周波数リソースが少なくとも２つの第一の時間長と一対一で対応し、各第一の時間長が現在の時点から時間領域における対応する第一の時間周波数リソースの開始時点までの時間長であり、及び
該確定ユニット３３０はさらに該少なくとも２つの第一のサービスから、対応する第一時間長が該少なくとも２つの第一の時間長のうちの最小の時間長であるターゲット第一のサービスを確定するように構成され、
該通信ユニット３２０は具体的に該ターゲット第一のサービスに対応する第一の時間周波数リソースにより、第二のサービスのデータを送信するように構成される。
【０１２４】
選択可能に、該通信ユニット３２０はさらに該第一の時間周波数リソースで伝送される必要がある該第一のサービスのデータを放棄するように構成される。
【０１２５】
選択可能に、該取得ユニット３１０はさらに第四の時間周波数リソースを取得するように構成され、該第四の時間周波数リソースの対応する時間が第一の半静的伝送時間範囲以外にあり、該第一の半静的伝送時間範囲が該第一のサービスのデータを伝送するための時間範囲であり、該第一の半静的伝送時間範囲が前記第一の時間周波数リソースに対応する時間を含む。
【０１２６】
該通信ユニット３２０はさらに該第四の時間周波数リソースにより該第一のサービスのデータを送信するように構成される。
【０１２７】
本発明の実施例による装置間通信装置３００は本発明の実施例の方法における第一の端末装置（例えば端末装置Ａ）に対応してもよく、且つ、装置間通信装置３００の各ユニット即ちモジュールと上記の他の操作及び／又は機能はそれぞれ図２における方法２００の対応するプロセスを実現するためのものであり、簡潔するために、ここで説明を省略する。且つ、該装置３００は端末装置に埋め込まれてもよく、又はそれ自体が端末装置である。
【０１２８】
本発明の実施例による装置間通信装置では、第一の端末装置が時間領域で取得した、第一のサービスのデータを伝送するための第一の時間周波数リソースを用い、第二のサービスのデータを送信することにより、例えば、第二のサービスが伝送遅延に対する要求が高い場合、端末装置は、該第二のサービスを伝送するための時間周波数リソースの取得を開始することを必要とせず、該第二のサービスの伝送遅延を短縮させ、装置間通信の柔軟性と信頼性を向上させることができる。
【０１２９】
以上に図１〜図２を参照して本発明の実施例による装置間通信方法を説明し、以下に図４を参照して本発明の実施例による装置間通信装置を詳細に説明する。
【０１３０】
図４は本発明の実施例による装置間通信装置４００の概略ブロック図であり、図４に示すように、該装置４００は、
プロセッサ４１０と送受信機４２０を備え、プロセッサ４１０が送受信機４２０に接続され、選択可能に、該装置４００はさらにメモリ４３０を備え、メモリ４３０がプロセッサ４１０に接続され、さらに選択可能に、該装置４００はバスシステム４００を備える。その中、プロセッサ４１０、メモリ４３０と送受信機４２０はバスシステム４４０に接続されてもよく、該メモリ４３０は命令を記憶することに用いられ、該プロセッサ４１０が該メモリ４３０に記憶された命令を記憶し、情報又は信号を送信するように送受信機４２０を制御することに用いられる。
【０１３１】
該プロセッサ４１０は、装置間通信サービスに属する第一のサービスのデータを伝送するための第一の時間周波数リソースを取得するように構成される取得ユニットのように構成され、
該プロセッサ４１０は該第一の時間周波数リソースに基づき、装置間通信サービスに属する第二のサービスのデータを送信するように送受信機４２０を制御するように構成される。
【０１３２】
選択可能に、該プロセッサ４１０は該第二のサービスの優先度が該第一のサービスの優先度より高いことを確定するように構成され、又は
該プロセッサ４１０は該第二のサービスの緊急度が該第一のサービスの緊急度より高いことを確定するように構成され、又は
該プロセッサ４１０は該第二のサービスのサービスタイプが予め設定された、少なくとも一つのサービスタイプを含む第一のサービスタイプセットに属することを確定するように構成される。
【０１３３】
選択可能に、該プロセッサ４１０は該第二のサービスのデータを伝送するために必要な最小の時間周波数リソースである第二の時間周波数リソースのサイズを確定するように構成され、
該プロセッサ４１０は該第一の時間周波数リソースのサイズが該第二の時間周波数リソースのサイズ以上であることを確定するように構成される。
【０１３４】
選択可能に、該プロセッサ４１０は該第一のサービスの伝送モードが半静的伝送であることを確定するように構成され、該第一の時間周波数リソースが具体的に該第一のサービスの次の伝送周期に対応する時間周波数リソースである。
【０１３５】
選択可能に、該プロセッサ４１０は第一の判定処理を開始し、第一の判定処理を開始する時点から時間領域における該第一の時間周波数リソースの開始時点までの時間長である第一の時間長が予め設定された第一の閾値以下であることを確定するように構成される。
【０１３６】
選択可能に、該プロセッサ４１０は第一の判定処理を開始し、第一の判定処理を開始する時点から該第一の時間周波数リソースの開始時点までの時間長である第一の時間長が予め設置された第二の閾値以上であることを確定するように構成され、
該プロセッサ４１０は第三の時間周波数リソースを取得するための処理を開始するように構成され、
該プロセッサ４１０は第二の判定処理を開始し、該装置４００が該第二のサービスのデータを伝送するための第三の時間周波数リソースを取得するための処理を開始する時点から第二の判定処理を開始する時点までの時間長である第二の時間長が予め設定された第三の閾値以上であることを確定するように構成される。
【０１３７】
選択可能に、該第二のサービスの伝送モードが半静的伝送である場合、該プロセッサ４１０は該第二のサービスの伝送周期が該第一のサービスの伝送周期の整数倍であることを確定するように構成される。
【０１３８】
選択可能に、該第一のサービスが少なくとも２つであり、該第一の時間周波数リソースが少なくとも２つであり、少なくとも２つの第一のサービスが少なくとも２つの第一の時間周波数リソースと一対一で対応し、各第一の時間周波数リソースが対応する第一のサービスのデータを伝送することに用いられ、且つ、該第一の時間長が少なくとも２つであり、少なくとも２つの第一の時間周波数リソースが少なくとも２つの第一の時間長と一対一で対応し、各第一の時間長が現在の時点から時間領域における対応する第一の時間周波数リソースの開始時点までの時間長であり、及び
該プロセッサ４１０は該少なくとも２つの第一のサービスから、対応する第一時間長が該少なくとも２つの第一の時間長のうちの最小の時間長であるターゲット第一のサービスを確定するように構成され、
該プロセッサ４１０は該ターゲット第一のサービスに対応する第一の時間周波数リソースにより、第二のサービスのデータを送信するように送受信機４２０を制御するように構成される。
【０１３９】
選択可能に、該プロセッサ４１０は該第一の時間周波数リソースで伝送される必要がある該第一のサービスのデータを放棄するように構成される。
【０１４０】
選択可能に、該取得ユニット４１０は、第四の時間周波数リソースを取得するように構成され、該第四の時間周波数リソースの対応する時間が第一の半静的伝送時間範囲以外にあり、該第一の半静的伝送時間範囲が該第一のサービスのデータを伝送するための時間範囲であり、該第一の半静的伝送時間範囲が前記第一の時間周波数リソースに対応する時間を含み、
該プロセッサ４１０は該第四の時間周波数リソースにより該第一のサービスのデータを送信するように送受信機４２０を制御するように構成される。
【０１４１】
本発明の実施例による装置間通信装置４００は本発明の実施例の方法における第一の端末装置（例えば端末装置Ａ）に対応してもよく、且つ、装置間通信装置４００の各ユニット即ちモジュールと上記の他の操作及び／又は機能はそれぞれ図２における方法２００の対応するプロセスを実現するためのものであり、簡潔するために、ここで説明を省略する。
【０１４２】
本発明の実施例による装置間通信装置では、第一の端末装置が時間領域で取得した、第一のサービスのデータを伝送するための第一の時間周波数リソースを用い、第二のサービスのデータを送信することにより、例えば、伝送遅延に対する要求が高い第二のサービスの場合、端末装置は、該第二のサービスを伝送するための時間周波数リソースの取得を開始することなく、該第二のサービスの伝送遅延を短縮させ、装置間通信の柔軟性と信頼性を向上させることができる。
【０１４３】
注意すべきものとして、本発明の上記方法の実施例はプロセッサに応用されてもよいし、又はプロセッサによって実現されてもよい。プロセッサは、信号処理機能を備える集積回路チップであってもよい。実現プロセスにおいて、上記方法の実施例における各ステップはプロセッサにおけるハードウェアの集積論理回路又はソフトウェア形態の命令により完了されてもよい。上記プロセッサは汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブル論理デバイス、ディスクリートゲート又はトランジスタ論理デバイス、ディスクリートハードウェア部材であってもよい。本発明の実施例において開示される各方法、ステップ及び論理ブロック図を実現又は実行することができる。汎用プロセッサはマイクロプロセッサであってもよく、又は該プロセッサはいずれかの従来のプロセッサなどであってもよい。本発明の実施例と組み合わせて開示された方法のステップはハードウェア復号プロセッサによって実行されて完了され、又は復号プロセッサにおけるハードウェアモジュール及びソフトウェアモジュールの組み合わせによって実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒質はメモリに位置し、プロセッサはメモリにおける情報を読み取り、そのハードウェアと組み合わせて上記方法のステップを完了する。
【０１４４】
本発明の実施例におけるメモリは揮発性記憶装置又は不揮発性記憶装置であってもよく、又は揮発性記憶装置及び不揮発性記憶装置両者を含むことができることが理解できる。その中、不揮発性記憶装置は読み取り専用メモリ（ＲＯＭ：Ｒｅａｄ−Ｏｎｌｙ  Ｍｅｍｏｒｙ）、プログラマブル読み取り専用メモリ（ＰＲＯＭ：Ｐｒｏｇｒａｍｍａｂｌｅ  ＲＯＭ）、消去可能プログラマブル読み取り専用メモリ（ＥＰＲＯＭ：Ｅｒａｓａｂｌｅ  ＰＲＯＭ）、電気的消去可能プログラマブル読み取り専用メモリ（ＥＥＰＲＯＭ：Ｅｌｅｃｔｒｉｃａｌｌｙ  ＥＰＲＯＭ）又はフラッシュメモリであってもよい。揮発性記憶装置は外部キャッシュメモリとして機能するランダムアクセスメモリ（ＲＡＭ：Ｒａｎｄｏｍ  Ａｃｃｅｓｓ  Ｍｅｍｏｒｙ）であってもよい。制限的でなく例示的な説明により、多くの形態のＲＡＭは利用可能であり、例えばスタティックランダムアクセスメモリ（ＳＲＡＭ：Ｓｔａｔｉｃ  ＲＡＭ）、動的ランダムアクセスメモリ（ＤＲＡＭ：Ｄｙｎａｍｉｃ  ＲＡＭ）、同期動的ランダムアクセスメモリ（ＳＤＲＡＭ：Ｓｙｎｃｈｒｏｎｏｕｓ  ＤＲＡＭ）、ダブルデータレート同期動的ランダムアクセスメモリ（ＤＤＲＳＤＲＡＭ：Ｄｏｕｂｌｅ  Ｄａｔａ  Ｒａｔｅ  ＳＤＲＡＭ）、強化型同期動的ランダムアクセスメモリ（ＥＳＤＲＡＭ：Ｅｎｈａｎｃｅｄ  ＳＤＲＡＭ）、同期リンク動的ランダムアクセスメモリ（ＳＬＤＲＡＭ：Ｓｙｎｃｈｌｉｎｋ  ＤＲＡＭ）とダイレクトラムバスランダムアクセスメモリ（ＤＲ  ＲＡＭ：Ｄｉｒｅｃｔ  Ｒａｍｂｕｓ  ＲＡＭ）である。注意すべきものとして、本明細書に記載のシステムと方法のメモリはこれらといずれかの他の適切なタイプのメモリを含むことを図るがこれらに限定されない。
【０１４５】
本発明の各方法の実施例では、前記各プロセスの番号の大きさが実行順序を意味せず、各プロセスの実行順序はその機能と内部ロジックによって確定されるべきであり、本発明の実施例の実施プロセスのいかなる限定を構成すべきではないと理解すべきである。
【０１４６】
当業者であれば、本明細書に開示された実施例と組み合わせて説明された各例のユニット及びアルゴリズムステップは、電子ハードウェア、又はコンピュータソフトウェアと電子ハードウェアとの組み合わせで実現されてもよいと理解できる。これらの機能がハードウェア又はソフトウェアで実行されるかどうかは技術的解決策の特定アプリケーションと設計約束条件に依存する。専門技術者は各特定のアプリケーションに対して異なる方法を使用して説明された機能を実現することができるが、このような実現は本発明の範囲を超えていると考えられるべきではない。
【０１４７】
当業者は便利且つ簡潔で説明するために、上述したシステム、装置とユニットの具体的な動作プロセスについて上記方法の実施例における対応するプロセスを参照でき、ここでは説明を省略することを明確に理解することができる。
【０１４８】
本出願が提供するいくつかの実施例では、開示されたシステム、装置および方法は他の方式により実現されてもよいと理解すべきである。例えば、上述した装置の実施例は例示的なものだけであり、例えば、前記ユニットの区分はロジック機能的区分だけであり、実際に実施する時に他の区分方式もあり得て、例えば複数のユニット又は部材は組み合わせられてもよく、又は別のシステムに統合されてもよく、又はいくつかの特徴は無視されてもよく、又は実行されなくてもよい。また、示される又は議論される相互結合又は直接結合又は通信接続はいくつかのインターフェース、装置又はユニットを介する間接的結合又は通信接続であってもよく、電気的、機械的又は他の形態であってもよい。
【０１４９】
分離部材として説明された前記ユニットは物理的に分離するものであってもよく又は物理的に分離するものでなくてもよく、ユニットとして表示された部材は物理的ユニットであってもよく又は物理的ユニットでなくてもよく、すなわち一つの箇所に位置してもよく、又は複数のネットワークユニットに分布してもよい。実際のニーズに応じてその中の一部又は全てのユニットを選択して本実施例の解決策の目的を達成することができる。
【０１５０】
また、本発明の各実施例における各機能ユニットは一つの処理ユニットに統合されてもよく、個々のユニットは単独で物理的に存在してもよく、二つ又は二つ以上のユニットは一つのユニットに統合されてもよい。
【０１５１】
前記機能はソフトウェア機能ユニットの形態で実現され且つ独立した製品として販売又は使用される場合，一つのコンピュータ読み取り可能な記憶媒体に格納されてもよい。このような理解に基づき，本発明の技術的解決策は本質的にソフトウェア製品の形態で実現されてもよく、又は従来技術に貢献する部分又は該技術的解決策の部分がソフトウェア製品の形態で実現されてもよく、該コンピュータソフトウェア製品は一台のコンピュータ装置（パーソナルコンピュータ、サーバ、又はネットワーク装置などあってもよい）に本発明の各実施例に記載の方法の全部又は一部のステップを実行させるためのいくつかの命令を含む記憶媒体に記憶すべき。前記記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０１５２】
以上は本発明の具体的な実施形態に過ぎず、本発明の保護範囲はこれに限られず、本分野の当業者が本発明に開示された技術範囲で容易に想到できる変化又は置き換えは全て本発明の保護範囲以内に含まれるべきである。
【図１】
2019521534.tif 000003
【図２】
2019521534.tif 000004
【図３】
2019521534.tif 000005
【図４】
2019521534.tif 000006
【手続補正書】
【提出日】平成30年11月13日(2018.11.13)
【手続補正１】
【補正対象書類名】特許請求の範囲
【補正対象項目名】全文
【補正方法】変更
【補正の内容】
【特許請求の範囲】
【請求項１】
装置間通信方法であって、前記方法は、
第一の端末装置が装置間通信サービスに属する第一のサービスのデータを伝送するための第一の時間周波数リソースを取得することと、
前記第一の端末装置が前記第一の時間周波数リソースに基づき、装置間通信サービスに属する第二のサービスのデータを送信することとを含む、装置間通信方法。
【請求項２】
前記第一の端末装置が前記第一の時間周波数リソースに基づき、第二のサービスのデータを送信する前に、前記方法はさらに、
前記第一の端末装置が前記第二のサービスの優先度が前記第一のサービスの優先度より高いことを確定することを含むことを特徴とする
請求項１に記載の方法。
【請求項３】
前記第一の端末装置が前記第一の時間周波数リソースに基づき、第二のサービスのデータを送信する前に、前記方法はさらに、
前記第一の端末装置が前記第二のサービスの緊急度が前記第二のサービスの緊急度より高いことを確定すること、を含むことを特徴とする
請求項１に記載の方法。
【請求項４】
前記第一の端末装置が前記第一の時間周波数リソースに基づき、第二のサービスのデータを送信する前に、前記方法はさらに、
前記第一の端末装置が前記第二のサービスのサービスタイプが予め設定された、少なくとも一つのサービスタイプを含む第一のサービスタイプセットに属することを確定すること、を含むことを特徴とする
請求項１に記載の方法。
【請求項５】
前記第一の端末装置が前記第一の時間周波数リソースに基づき、第二のサービスのデータを送信する前に、前記方法はさらに、
前記第一の端末装置が前記第二のサービスのデータを伝送するために必要な最小の時間周波数リソースである第二の時間周波数リソースのサイズを確定することと、
前記第一の端末装置が前記第一の時間周波数リソースのサイズが前記第二の時間周波数リソースのサイズ以上であることを確定することとを含むことを特徴とする
請求項１乃至４のいずれか一項に記載の方法。
【請求項６】
前記第一の端末装置が前記第一の時間周波数リソースに基づき、第二のサービスのデータを送信する前に、前記方法はさらに、
前記第一の端末装置が前記第一のサービスの伝送モードが半静的伝送であることを確定することを含み、前記第一の時間周波数リソースが具体的に前記第一のサービスの次の伝送周期に対応する時間周波数リソースであることを特徴とする
請求項１乃至５のいずれか一項に記載の方法。
【請求項７】
前記第一の端末装置が前記第一の時間周波数リソースに基づき、第二のサービスのデータを送信する前に、前記方法はさらに、
前記第一の端末装置が第一の判定処理を開始し、第一の判定処理を開始する時点から時間領域における前記第一の時間周波数リソースの開始時点までの時間長である第一の時間長が予め設定された第一の閾値以下であることを確定することを含むことを特徴とする
請求項６に記載の方法。
【請求項８】
前記第一の端末装置が前記第一の時間周波数リソースに基づき、第二のサービスのデータを送信する前に、前記方法はさらに、
前記第一の端末装置が第一の判定処理を開始し、第一の判定処理を開始する時点から前記第一の時間周波数リソースの開始時点までの時間長である第一の時間長が予め設置された第二の閾値以上であることを確定することと、
前記第一の端末装置が第三の時間周波数リソースを取得するための処理を開始することと、
前記第一の端末装置が第二の判定処理を開始し、前記第一の端末装置が前記第二のサービスのデータを伝送するための第三の時間周波数リソースを取得するための処理を開始する時点から第二の判定処理を開始する時点までの時間長である第二の時間長が予め設定された第三の閾値以上であることを確定することとを含むことを特徴とする
請求項６に記載の方法。
【請求項９】
前記第二のサービスの伝送モードが半静的伝送である場合、前記第一の端末装置が前記第一の時間周波数リソースに基づき、第二のサービスのデータを送信する前に、前記方法はさらに、
前記第一の端末装置が前記第二のサービスの伝送周期が前記第一のサービスの伝送周期の整数倍であることを確定することを含むことを特徴とする
請求項７又は８に記載の方法。
【請求項１０】
前記第一のサービスが少なくとも２つであり、前記第一の時間周波数リソースが少なくとも２つであり、少なくとも２つの第一のサービスが少なくとも２つの第一の時間周波数リソースと一対一で対応し、各第一の時間周波数リソースが対応する第一のサービスのデータを伝送することに用いられ、且つ、前記第一の時間長が少なくとも２つであり、少なくとも２つの第一の時間周波数リソースが少なくとも２つの第一の時間長と一対一で対応し、各第一の時間長が現在の時点から時間領域における対応する第一の時間周波数リソースの開始時点までの時間長であり、及び
前記第一の端末装置が前記第一の時間周波数リソースに基づき、装置間通信サービスに属する第二のサービスのデータを送信することは、
前記第一の端末装置が前記少なくとも２つの第一のサービスから、対応する第一時間長が前記少なくとも２つの第一の時間長のうちの最小の時間長であるターゲット第一のサービスを確定することと、
前記第一の端末装置が前記ターゲット第一のサービスに対応する第一の時間周波数リソースにより、第二のサービスのデータを送信することとを含むことを特徴とする
請求項７乃至９のいずれか一項に記載の方法。
【請求項１１】
前記方法はさらに、
前記第一の端末装置が前記第一の時間周波数リソースで伝送される必要がある前記第一のサービスのデータを放棄することを含むことを特徴とする
請求項１乃至１０のいずれか一項に記載の方法。
【請求項１２】
前記方法はさらに、
前記第一の端末装置が第四の時間周波数リソースを取得することと、
前記第一の端末装置が前記第四の時間周波数リソースにより前記第一のサービスのデータを送信することとを含み、
前記第四の時間周波数リソースの対応する時間が第一の半静的伝送時間範囲以外にあり、前記第一の半静的伝送時間範囲が前記第一のサービスのデータを伝送するための時間範囲であり、前記第一の半静的伝送時間範囲が前記第一の時間周波数リソースに対応する時間を含むことを特徴とする
請求項６乃至１０のいずれか一項に記載の方法。
【請求項１３】
端末装置であって、
プロセッサと、
命令が記憶されるメモリとを含み、前記命令が前記プロセッサにより実行される時に、前記プロセッサが請求項１乃至１２のいずれか一項に記載の方法を実現する
前記端末装置。
【国際調査報告】
2019521534.tif 000007
2019521534.tif 000008
2019521534.tif 000009
2019521534.tif 000010